(57)【特許請求の範囲】
【請求項１】
軸部及び前記軸部の一端側に支持されるフランジ部からなるドライブホイールと、前記軸部と略同一軸方向長さの円筒形状で内側面が前記軸部の外周面に嵌合して前記軸部に着脱自在とされるリールカラーと、前記軸部の他端側にフランジ状に配置され、前記軸部に着脱自在とされるテープホルダと、を有してなり、チップ状の電子部品を封入したテープを送り出して、該電子部品を電子部品搭載機に供給するテープフィーダに備えられ、前記テープから剥離されるカバーテープを前記リールカラーに巻き取りながら回収するカバーテープ巻取りリールにおいて、
前記リールカラーの外周面近傍に前記カバーテープの巻取り開始端を固定、且つ解放自在である固定手段を設け、
前記固定手段はクリップとクリップストッパとから構成され、
前記クリップは、その自由端が前記リールカラーの軸方向一端近傍に位置し、基端が前記リールカラーの軸方向他端近傍において枢支されて、前記リールカラー外周面と当接し、前記リールカラー外周面との間において、前記カバーテープ巻取り開始端を挟持する挟持位置と離間する解放位置との間で揺動自在とされ、
前記クリップストッパは前記リールカラー外周面近傍に位置し、前記クリップを前記挟持位置に固定し、且つ、解放可能とし、
更に前記リールカラー外周面に前記挟持位置にあるクリップを収納可能である溝部を設け、この溝部と前記クリップとの間において、前記カバーテープ巻取り開始端を挟持可能としたことを特徴とするカバーテープ巻取りリール。
【請求項２】
請求項１において、前記リールカラーはその軸方向外端において前記テープホルダに支持され、前記テープホルダと前記リールカラーとを一体で、前記軸部に着脱自在としたことを特徴とするカバーテープ巻取りリール。
【発明の詳細な説明】
【０００１】
【発明の属する技術分野】
本発明は、電子部品を供給するテープフィーダに備えられるカバーテープ巻取りリールに関する。
【０００２】
【従来の技術】
図９に示すように、テープフィーダ６０は、チップ状の電子部品を封入したテープ６２を送り出して、該電子部品を電子部品搭載機（図示省略）に供給するもので、該電子部品を取り出す際に前記テープからカバーテープ６４を剥離し、この剥離されたカバーテープ６４はカバーテープ巻取りリール６６に巻き取られて回収される。
【０００３】
図１０に示すように、カバーテープ巻取りリール６６は、ドライブホイール６８の円柱状の軸部６８Ａに嵌合した円筒状のリールカラー７０を前記軸部６８Ａの一端側に支持される円板状のフランジ部６８Ｂと、前記軸部６８Ａの他端側に着脱自在とされる略円板状のテープホルダ７２とにより挟み込んだ構造とされている。
【０００４】
前記リールカラー７０と前記テープホルダ７２とは別体のものの他、一体のものも知られている。
【０００５】
前記カバーテープ巻取りリール６６にカバーテープを巻き取り始めるときは、何らかの方法によりカバーテープ巻取り開始端６４Ａを前記カバーテープ巻取りリールに係着する必要があり、例えば図１１に示すように、前記テープホルダ７２にスリット７２Ａを設け、このスリット７２Ａに前記カバーテープ巻取り開始端６４Ａを挟持して係着する方法が知られている。
【０００６】
前記スリット７２Ａに前記カバーテープ巻取り開始端６４Ａを挟持して係着する作業は容易である反面、前記カバーテープ巻取り開始端６４Ａはカバーテープ６４をテープ６２から剥離するための張力に耐え得るように係着される必要があるので、薄いフィルム状のカバーテープを前記スリット７２Ａにより挟持する方法は係着の確実性という点で問題がある。
【０００７】
又、前記スリット７２Ａは前記リールカラー７０の外周面と垂直であり、前記スリット７２Ａに係着されたカバーテープが前記リールカラー７０の外周面に巻き付くときに、必ずカバーテープが捩れるようになっているので（図１１参照）、幅の狭いカバーテープを巻き取る場合には問題とならないが、幅の広いカバーテープを巻き取る場合、該捩れ部分が前記リールカラー外周面上で不均等に浮き上がり、カバーテープの巻取りむらが生じる原因となる。
【０００８】
【発明が解決しようとする課題】
これに対して、前記カバーテープ巻取り開始端６４Ａと前記リールカラー７０の外周面とをセロハンテープ等の粘着テープで係着すれば、カバーテープの張力に耐え得る確実な係着が得られると共に、前記巻取りむらの問題も解消されるが、カバーテープの幅は作業者の指の太さ程度のものが多く、係着に使用される粘着テープも小さなものとなるので粘着テープの貼着は作業性が悪く、作業を短時間で終えることが困難であるという問題がある。
【０００９】
本発明は、このような問題点に鑑みて、カバーテープの巻取り開始端を確実、且つ容易にリールカラーに係着することができると共に、巻取りむらが生じることがないカバーテープ巻取りリールを提供することを目的とする。
【００１０】
【課題を解決するための手段】
本発明は、請求項１のように、軸部及び前記軸部の一端側に支持されるフランジ部からなるドライブホイールと、前記軸部と略同一軸方向長さの円筒形状で内側面が前記軸部の外周面に嵌合して前記軸部に着脱自在とされるリールカラーと、前記軸部の他端側にフランジ状に配置され、前記軸部に着脱自在とされるテープホルダと、を有してなり、チップ状の電子部品を封入したテープを送り出して、該電子部品を電子部品搭載機に供給するテープフィーダに備えられ、前記テープから剥離されるカバーテープを前記リールカラーに巻き取りながら回収するカバーテープ巻取りリールにおいて、前記リールカラーの外周面近傍に前記カバーテープの巻取り開始端を固定、且つ解放自在である固定手段を設けたことを特徴とするカバーテープ巻取りリールにより、上記目的を達成するものである。
【００１１】
又、前記リールカラーはその軸方向外端において前記テープホルダに支持され、前記テープホルダと前記リールカラーとを一体で、前記軸部に着脱自在としてもよい。
【００１２】
更に、前記固定手段はクリップとクリップストッパとから構成され、前記クリップは、その自由端が前記リールカラーの軸方向一端近傍に位置し、基端が前記リールカラーの軸方向他端近傍において枢支されて、前記リールカラー外周面と当接し、前記リールカラー外周面との間において、前記カバーテープ巻取り開始端を挟持する挟持位置と離間する解放位置との間で揺動自在とされ、前記クリップストッパは前記リールカラー外周面近傍に位置し、前記クリップを前記挟持位置に固定し、且つ、解放可能としてもよい。
【００１３】
更に又、前記リールカラー外周面に前記挟持位置にあるクリップを収納可能である溝部を設け、この溝部と前記クリップとの間において、前記カバーテープ巻取り開始端を挟持可能としてもよい。
【００１４】
又、前記軸部は円柱を中心軸線と平行に面取りした形状の柱状体とし、この切欠面と前記リールカラーの内側面との間に空間部を形成して、この空間部に対応する前記リールカラーの円筒部に前記軸方向と平行、且つ、前記カバーテープが挿通可能なスリットを設け、このスリットと前記空間部とにより、前記カバーテープが前記リールカラーに挿通可能とされ、前記リールカラーの前記軸部に対する回動により、該軸部の円筒面と前記リールカラーの内側面との間において前記挿通したカバーテープを固定、且つ解放自在とされ、前記スリットと前記軸部とが前記固定手段を構成するようにしてもよい。
【００１５】
本発明によれば、カバーテープ巻取りリールにカバーテープ巻取り開始端を確実、且つ容易に短時間で係着して、むらのない巻取りを行うことができる。
【００１６】
【発明の実施の形態】
以下、本発明の実施の形態の例を、図面を参照して詳細に説明する。
【００１７】
図１〜図３に示すように、本発明の実施の形態の例に係るカバーテープ巻取りリール１０は、ドライブホイール１２と、リールカラー１４と、テープホルダ１６と、クリップ１８及びクリップストッパ２０からなるカバーテープ固定手段２２と、を有して構成されている。
【００１８】
前記ドライブホイール１２は、円柱状の軸部２４とこの軸部２４の軸方向一端２４Ａに設けられた円板状のフランジ部２６とから構成されている。
【００１９】
前記軸部２４の軸方向他端２４Ｂ側の端面には、その中央部から円板状に突出した突起２４Ｃが形成され、この突起２４Ｃと外周との間には該突起２４Ｃを挟んで対称に、前記軸方向と平行な一対のきのこ状のホルダピン２４Ｄが設けられている。
【００２０】
前記リールカラー１４は前記軸部２４と略同一軸方向長さの円筒状でその内側に前記軸部２４が嵌合するようにされており、前記リールカラー１４の外周面１４Ａには軸方向一端１４Ｂから他端１４Ｃまで前記軸方向と平行な溝部２８が設けられている。
【００２１】
又、前記リールカラーの軸方向一端１４Ｂ近傍から前記他端１４Ｃまで、前記軸方向と平行に円周方向適宜な間隔で、複数のスリット１４Ｄが設けられている。
【００２２】
前記リールカラー１４の軸方向一端１４Ｂには、この軸方向一端１４Ｂを一体的に支持するように、円板状のエンドプレート１４Ｅが形成されており、このエンドプレート１４Ｅには、中心に前記突起２４Ｃと嵌合する孔１４Ｆと、この孔１４Ｆを挟んで対称に前記ホルダピン２４Ｄの頭部が貫通する一対の孔１４Ｇと、これら一対の孔１４Ｇを一端側とし、カバーテープの巻取り方向に他端側が位置する略円弧状で前記ホルダピン２４Ｄの首部の直径と略同一幅の長孔１４Ｈとが設けられ、前記リールカラー１４の前記軸部２４に対する回動により前記ホルダピン２４Ｄが前記長孔１４Ｈに係着、解放自在とされ、これにより前記リールカラー１４は前記軸部２４に固定、解放自在とされている。
【００２３】
前記テープホルダ１６は、略Ｃ字形のフランジ状で、前記エンドプレート１４Ｅに重ねて、これに固着され、前記リールカラー１４と一体で前記軸部２４に着脱自在とされている。
【００２４】
又、前記テープホルダ１６は、そのＣ字の切欠部１６Ａが前記溝部２８近傍に位置され、その外周部１６Ｂが波形とされている。
【００２５】
前記クリップ１８は、線状材をコ字形に曲折した形状であって、前記溝部２８に収容されるように配置されている。このクリップ１８はコ字の対向する両足部１８Ａが前記溝部２８の側壁２８Ａに沿うように位置し、これら両足部１８Ａと前記溝部２８との間においてカバーテープ３０の巻取り開始端３０Ａを挟持するようにされ、この挟持位置において、コ字の閉端である自由端１８Ｂは前記リールカラー１４の前記軸方向一端１４Ｃ近傍に位置している。
【００２６】
前記両足部１８Ａのコ字の開端である基端１８Ｃ側の先端部は、互いに他の足部から離れる方向に略直角に折り曲げられて一対のピン状部１８Ｄを形成し、これらピン状部１８Ｄが前記エンドプレート１４Ｅの前記溝部２８近傍に設けられた突起１４Ｉの穴に枢支され、前記クリップ１８は、前記挟持位置と、前記溝部２８から立上がって、前記カバーテープ巻取り開始端３０を挟持しない解放位置との間において揺動自在とされている。
【００２７】
前記クリップストッパ２０は、略Ｊ形に曲折した一対の細長い板状体で、前記リールカラー１４の前記軸方向一端１４Ｃ近傍に配置され、このクリップストッパ２０の先端であるＪ字の曲折部２０Ａが前記溝部２８内に落ち込み、Ｊ字の長辺部２０Ｂにおいて前記リールカラー１４により支持されている。
【００２８】
前記曲折部２０Ａは、前記挟持位置において、前記クリップ１８の先端１８Ｂをその両側の上方から挟み込み、スナップアクションにより前記クリップ１８を前記挟持位置に固定、解放可能とされている。
【００２９】
次に、前記カバーテープ巻取りリール１０の、前記カバーテープ巻取り開始端３０Ａの着脱時における作用について説明する。
【００３０】
前記カバーテープ巻取りリール１０にカバーテープ巻取り開始端３０Ａを係着するときは、前記リールカラー１４と前記テープホルダ１６とを一体で、前記軸部２４から取り外し、前記クリップ１８の自由端１８Ｂを前記クリップストッパ２０から解放した解放位置としておく。
【００３１】
前記エンドプレート１４Ｅの一対の孔１４Ｇと、前記一対のホルダピン２４Ｄとの位置が合致するように前記リールカラー１４と前記テープホルダ１６とを一体で前記軸部２４に嵌合させ、前記軸部２４に対してカバーテープ巻取り方向と反対方向へ回動させると、前記エンドプレート１４Ｅは前記一対の長孔１４Ｈにおいて前記ホルダピン２４Ｄにより前記軸部２４に係合され、これにより前記リールカラー１４が前記軸部２４に係合される。
【００３２】
次ぎに、前記カバーテープ巻取り開始端３０Ａを前記リールカラー１４の前記溝部２８の上に、前記カバーテープ３０の長手方向と前記リールカラー１４の円周方向とが一致するように載置して前記クリップ１８を前記溝部２８に嵌め込むと、該カバーテープ巻取り開始端３０Ａは前記クリップ１８の両足部１８Ａと前記溝部２８との間に挟持して固定される。
【００３３】
前記クリップ１８の先端１８Ｂは前記クリップストッパ２０の先端２０Ａを押し広げてこれら先端２０Ａの下に入り込み、前記クリップ１８は前記挟持位置に保持される。
【００３４】
前記カバーテープ巻取り開始端３０Ａは前記クリップ１８の両足部１８Ａと前記溝部２８とに挟持されるので確実に固定され、又、前記クリップ１８は前記溝部２８に嵌め込まれると前記クリップストッパ２０により自動的に前記挟持状態に保持されるので、粘着テープによる係着と比較して短時間で、且つ容易に係着作業を行うことができる。
【００３５】
この状態で、電子部品搭載機の駆動手段（図示省略）により、電子部品の供給を開始すると前記軸部２４が駆動され、該軸部２４と一体で、前記リールカラー１４が回転して前記カバーテープ３０を巻取りながら回収する。
【００３６】
前記軸部２４がカバーテープの巻取り方向へ回転すると、前記ホルダピン２４Ｄは前記エンドプレート１４Ｅの長孔１４Ｈの、前記孔１４Ｇと反対側の一端に押しつけられるので、前記ホルダピン２４Ｄと前記孔１４Ｇとの位置が合致して前記リールカラー１４が前記軸部２４から外れることはない。
【００３７】
前記カバーテープ巻取り開始端３０Ａは、前記リールカラー１４に設けられた溝部２８において係着されるので、前記テープホルダ１６にスリットを設けて固定する場合のようにカバーテープが捩れることがなく、又、前記クリップ１８は前記挟持位置において前記溝部２８に収納されるので、カバーテープを前記リールカラー１４にむらなく滑らかに巻き取ることができる。
【００３８】
前記カバーテープ３０は、テープから剥離するために必要な張力で前記リールカラー１４に巻き取られ、巻取られたカバーテープ３０は前記複数のスリット１４Ｄが設けられた前記リールカラー１４を緊縛するが、前記軸部２４が前記リールカラー１４の内側面に嵌合しているので、前記リールカラー１４は円筒形状を保持している。
【００３９】
前記カバーテープ３０が前記テープホルダ１６の外周１６Ｂ近傍まで巻き取られたら、前記カバーテープ巻取りリール１０から巻取られたカバーテープ３０を取り外すために、作業者は前記電子部品搭載機の駆動手段を停止させて、前記カバーテープ巻取りリール１０の回転を停止させると共に、前記カバーテープ巻取りリール１０の近傍において前記カバーテープ３０を切断する。
【００４０】
前記テープホルダ１６の外周部１６Ｂを把んで前記軸部２４に対してカバーテープ巻取り方向に回動させて、該テープホルダ１６に固着した前記リールカラー１４を回動させ、前記ホルダピン２４Ｄと前記エンドプレート１４Ｅの孔１４Ｇとが合致した位置で、前記テープホルダ１６とカバーテープが巻取られた前記リールカラー１４とを一体で前記軸方向に引き抜いて、前記軸部２４から取り外す。
【００４１】
前記リールカラー１４は、その内側に嵌合していた前記軸部２４が抜け出すと、巻取られたカバーテープの緊縛力により、前記複数のスリット１４Ｄの隙間を詰めるように、その円筒部が中心軸に向かって縮径し、これによりカバーテープの緊縛力が緩和される。
【００４２】
巻取られたカバーテープ３０の外周部を把んで前記テープホルダ１６と反対側の軸方向に引張ると、緊縛力が緩和されたカバーテープ３０はリング状に巻き取られた状態で、容易に前記リールカラー１４から取り外される。
【００４３】
前記リールカラー１４を前記軸部２４から取り外すことができるので、作業者にとって楽な姿勢で巻取られたカバーテープ３０を取り外すことができる。
【００４４】
この場合、前記クリップの自由端１８Ｂが前記テープホルダ１６の反対側に位置しているので、前記クリップ１８を前記挟持位置に保持したままで前記カバーテープ巻取り開始端３０Ａを前記リールカラー１４から取り外すことができる。
【００４５】
前記リールカラー１４から巻取られたカバーテープ３０を取り外すとき、一方の手で前記リールカラー１４を把持し、他方の手で巻取られたカバーテープ３０を把持して取り外すことになるが、前記テープホルダ１６の波形の外周部１６Ｂを把持することにより、前記リールカラー１４を把持する側の手が巻取られたカバーテープ３０に触れることがなく、作業が容易となる。
【００４６】
以後、前記リールカラー１４を前記軸部２４に係合した後、前記テープフィーダ側に残されたカバーテープの切断部を巻取り開始端３０Ａとして前記クリップ１８と前記クリップストッパ２０とにより前記リールカラー１４に係着し、前記電子部品搭載機の駆動手段を作動させて電子部品の供給を再開する。
【００４７】
なお、本実施の形態の例においては、前記クリップ１８は前記挟持位置において前記溝部２８に収納される構成であるが、本発明はこれに限定されるものではなく、前記クリップ１８を構成する線状材が細い場合には前記溝部２８を設けることなく、前記クリップ１８と前記リールカラー外周面１４Ａとの間において前記カバーテープ巻取り開始端３０Ａを挟持するようにしてもよい。
【００４８】
次に、本発明の実施の形態の第２例について説明する。
【００４９】
本実施の形態の例は、実施の形態の第１例に対して図４に示すような溝部４０と、クリップ４２とを有する構成である。他の点については、実施の形態の第１例と同じであるので説明は省略する。
【００５０】
本実施の形態の第２例に係る溝部４０は、図５に示すように実施の形態の第１例に係る溝部２８に対して、その側壁４０Ａの上部が互いに他方の側壁に向かって突出した、突出部４０Ｂを形成するアリ溝形状であることを特徴としている。
【００５１】
本実施の形態の例に係るクリップ４２は、図４に示すように実施の形態の第１例に係るクリップ１８に対して、その自由端４２Ａと基端４２Ｂとの間の位置において、両足部４２Ｃが互いに他の足部から離れる方向に湾曲して前記挟持位置において前記突出部４０Ｂの下へ張り出す張出部４２Ｄを形成し、この張出部４２Ｄがスナップアクションにより前記突出部４０Ｂの下側で前記溝部４０に係合、且つ解放自在とされたことを特徴としている。
【００５２】
次に本実施の形態の第２例の作用について説明する。
【００５３】
前記クリップ４２を前記溝部４０に嵌め込むときは、前記自由端４２Ａを前記溝部４０の方へ押し下げると前記一対の張出部４２Ｄが前記突出部４０Ｂに当接しながら、線状材の弾発力に抗して互いに他方の張出部４２Ｄの方向へ案内されて内方に撓み、前記溝部４０内に収納されて、前記溝部４０内において該弾発力により前記張出部４２Ｄが前記突出部４０Ｂの下に張り出し、前記挟持状態を保持するようにされている。
【００５４】
同様に、前記クリップ４２を前記挟持位置から解放するときは、前記自由端４２Ａを前記溝部４０から離れる方向へ引き上げると、前記張出部４２Ｄは前記突出部４０Ｂに案内されて内方に撓み、前記挟持状態から解放されるようにされている。
【００５５】
本実施の形態の第２例によれば、前記突出部４０Ｂがクリップストッパを構成し、前記クリップ４２の前記張出部４２Ｄのスナップアクションにより前記挟持状態が保持、解放されるので、前記クリップ４２を前記挟持位置に保持するために、前記溝部４０近傍にクリップストッパを別途設ける必要がなく、構造が簡単で、低コストであると共に、前記リールカラー１４から巻取られたカバーテープ３０を取り外すときに、別途設けられるクリップストッパに引掛かることがなく取り外し作業も容易である。
【００５６】
なお、本実施の形態の第２例においては、両方の前記溝部側壁４０Ａの上部が前記突出部４０Ｂを形成しているが、本発明はこれに限定されるものではなく、前記突出部４０Ｂは前記溝部側壁４０Ａの一方にのみ形成されるようにしてもよい。
【００５７】
又、前記クリップ４２は前記両足部４２Ｃの一方にのみ前記張出部４２Ｄが形成され、前記突出部４０Ｂに係合、且つ解放自在であるようにしてもよい。
【００５８】
次に、図６〜図８に示される本発明の実施の形態の第３例について説明する。
【００５９】
本実施の形態の第３例は、実施の形態の第１例に対して図６に示すように軸５０とリールカラー５２の内側５２Ａとの間に空間部５４を形成し、この空間部５４に対応して前記リールカラー５２に複数のスリット５２Ｂを設けて、前記空間部５４にカバーテープ３０の先端が挿入、固定され得るようにしたものである。
【００６０】
なお、前記クリップ１８、前記クリップストッパ２０及び前記溝部２８は設けられていない。
【００６１】
他の構成については、実施の形態の第１例と同じであるので、図１におけると同一符号を付することにより説明は省略する。
【００６２】
前記軸部５０は、円柱を中心軸線と平行に面取りした形状で、切欠面５０Ａと円筒面５０Ｂとを有する柱状体とされている。
【００６３】
前記リールカラー５２は、前記軸部５０に嵌合された状態で、その内側面５２Ａと前記切欠面５０Ａとの間に空間部５４を形成している。
【００６４】
前記複数のスリット５２Ｂは前記リールカラー５２の円筒部に設けられ、前記軸方向と略平行で円周方向適宜な間隔で設けられ、カバーテープ３０が挿通可能とされ、これらスリット５２Ｂと前記空間５４とにより、前記カバーテープ３０は前記リールカラー５２を貫通可能とされている。
【００６５】
前記カバーテープ３０が前記リールカラーを貫通した状態で、前記リールカラー５２を前記軸部５０に対して回動させることにより、前記軸部５０の円筒面５０Ｂと、前記リールカラー５２の内側面５２Ａとの間において、前記貫通したカバーテープ３０を固定、且つ解放可能とされている。
【００６６】
本実施の形態の第３例によれば、カバーテープ巻取り開始端を係着するためにクリップ等の部品を必要とせず、構造が簡単であり、前記リールカラー５２を貫通した前記カバーテープの巻取り開始端３０Ａがカバーテープ３０に巻込まれて緊縛されるので、確実な係着が得られる。
【００６７】
又、前記リールカラー５２を前記軸部５０から取り外すと、前記カバーテープ３０は固定状態から解放されると共に、前記複数のスリット５２Ｂの隙間を詰めるように前記リールカラー５２が縮径して、巻取られたカバーテープ３０の緊縛力が緩和されるので、巻取られたカバーテープ３０を前記リールカラー５２から容易に取り外すことができる。
【００６８】
なお、本実施の形態の第３例では、前記カバーテープ３０が前記リールカラー５２を貫通し、前記カバーテープ巻取り開始端３０Ａをカバーテープ３０により巻込むようにされているが、前記軸部５０の円筒面５０Ｂと、前記リールカラー５２の内側面５２Ａとの間で十分な固定が得られる場合は、前記カバーテープ３０は前記リールカラー５２に貫通することなく差込まれるようにして固定してもよい。
【００６９】
【発明の効果】
本発明によれば、カバーテープ巻取りリールへのカバーテープ巻取り開始端の係着が確実、且つ容易に短時間で行われると共に、カバーテープの巻取りがむらなく、滑らかに行われ、又、巻取られたカバーテープをリールカラーから容易に取り外すことができるという優れた効果がもたらされる。
【図面の簡単な説明】
【図１】本発明の実施の形態の第１例に係るカバーテープ巻取りリールの構造を示す斜視図
【図２】同リールカラー及びテープホルダの構造を示す断面図
【図３】同リールカラー及びテープホルダの構造を示す側面図
【図４】本発明の実施の形態の第２例に係るクリップと溝部の概要を示す斜視図
【図５】本発明の実施の形態の第２例に係るクリップと溝部の概要を示す断面図
【図６】本発明の実施の形態の第３例に係るリールカラー及び軸部の概要を示す断面図
【図７】本発明の実施の形態の第３例に係るリールカラー及び軸部の概要を示す断面図
【図８】本発明の実施の形態の第３例に係るリールカラー及び軸部の概要を示す斜視図
【図９】従来のテープフィーダの概要を示す斜視図
【図１０】従来のカバーテープ巻取りリールの構造の概要を示す斜視図
【図１１】従来のカバーテープ巻取り開始端の係着状態の概要を示す斜視図
【符号の説明】
１０…カバーテープ巻取りリール
１２…ドライブホイール
１４…リールカラー
１４Ｄ…スリット
１６…テープホルダ
１８…クリップ
１８Ａ…両足部
１８Ｂ…自由端
１８Ｃ…基端
１８Ｄ…ピン状部
２０…クリップストッパ
２２…カバーテープ固定手段
２４…軸部
２６…フランジ部
２８…溝部
３０…カバーテープ
３０Ａ…カバーテープ巻取り開始端
４０…溝部
４０Ａ…溝部側壁
４２…クリップ
４２Ａ…先端
４２Ｂ…基端
４２Ｃ…両足部
４２Ｄ…張出部
５０…軸部
５０Ａ…切欠面
５０Ｂ…円筒面
５２…リールカラー
５２Ａ…内側面
５２Ｂ…スリット
５４…空間部
【図１】
0004494573.tif 000002
【図２】
0004494573.tif 000003
【図３】
0004494573.tif 000004
【図４】
0004494573.tif 000005
【図５】
0004494573.tif 000006
【図６】
0004494573.tif 000007
【図７】
0004494573.tif 000008
【図８】
0004494573.tif 000009
【図９】
0004494573.tif 000010
【図１０】
0004494573.tif 000011
【図１１】
0004494573.tif 000012